(57)【要約】【課題】顧客が購入した商品の消費期限を簡易な装置で提供することを目的とする。【解決手段】携帯端末に、少なくとも日を計る計り手段と、一取引で購入した商品の商品名と対応する商品の期限とを取得する取得手段と、前記取得手段により取得した商品の商品名と商品の期限とを累積記憶する記憶手段と、前記記憶手段により累積記憶された前記商品に対応する商品の期限と前記計り手段の日を比較し商品の期限が経過すると検知された商品の情報を削除する削除手段と、前記記憶手段により記憶された商品の情報を操作者の宣言により削除する宣言削除手段と、前記記憶手段により記憶された商品名と商品の期限とを表示する表示手段させる。これにより、簡易な装置で消費期限の確認を行える。【選択図】  図７
2011159187.tif 000002
【特許請求の範囲】
【請求項１】
少なくとも日を計る計り手段と、
一取引で購入した商品の商品名と対応する商品の期限とを商品データ処理装置から取得する取得手段と、
前記取得手段により取得した商品の商品名と商品の期限とを累積記憶する記憶手段と、
前記記憶手段により累積記憶された前記商品に対応する商品の期限と前記計り手段の日を比較し商品の期限が経過すると検知された商品の情報を削除する削除手段と、
前記記憶手段により記憶された商品の情報を操作者の宣言により削除する宣言削除手段と、
前記記憶手段により記憶された商品名と商品の期限とを表示する表示手段と、
を有する携帯端末。
【請求項２】
前記取得手段は一取引で購入した商品の商品名と対応する商品の期限が記憶されたコード情報を読取ることを特徴とした請求項１に記載の携帯端末。
【請求項３】
前記記憶手段により累積記憶された前記商品に対応する商品の期限を経過すると対応する商品の商品名を記憶する期限切れ記憶手段と、
前記削除手段は前記期限切れ記憶手段の後に行い、
前記表示手段は前記期限切れ記憶手段に記憶された商品名と商品の期限と共に前記記憶手段に記憶された商品名と商品の期限とを表示することを特徴とする請求項１に記載の携帯端末。
【請求項４】
商品を識別する識別子を入力する入力手段と、
取引の終了を宣言する終了宣言手段と、
前記終了宣言がなされると、前記入力手段により入力された商品の会計処理を行う会計手段と、
前記会計手段を行った後に、今回取引で購入した商品の商品名と対応する商品の期限とを携帯端末に読取り可能なコード情報として出力する出力手段とを有する商品データ処理装置。
【請求項５】
コンピュータを、
商品を識別する識別子を入力する入力機能と、
取引の終了を宣言する終了宣言機能と、
前記終了宣言がなされると、前記入力手段により入力された商品の会計処理を行う会計機能と、
前記会計手段を行った後に、今回取引で購入した商品の商品名と対応する商品の期限とを携帯端末に読取り可能なコード情報として出力する出力機能と、
として機能させる商品データ処理装置のプログラム。
【請求項６】
コンピュータを、
少なくとも日を計る計り機能と、
一取引で購入した商品の商品名と対応する商品の期限とを取得する取得機能と、
前記取得手段により取得した商品の商品名と商品の期限とを記憶部に累積記憶する記憶機能と、
前記記憶手段により累積記憶された前記商品に対応する商品の期限と前記計り手段の日を比較し商品の期限が経過すると検知された商品の情報を削除する削除機能と、
前記記憶手段により記憶された商品名と商品の期限とを表示する表示機能と、
として機能させる携帯端末のプログラム
【発明の詳細な説明】
【技術分野】
【０００１】
本発明は、家庭や小売店などで使用される、携帯端末とそのプログラム及び商品データ処理装置とそのプログラムに関する。
【背景技術】
【０００２】
現在、小売店などで購入した商品の情報を冷蔵庫やサーバなどに転送し、冷蔵庫内の商品を携帯電話などで閲覧するサービスが行われている。
【０００３】
このような購入商品の管理システムは例えば特許文献１が知られている。この特許文献１では、購入した商品をサーバなどを用いて管理し、携帯電話などを用いて閲覧するサービスが行われている。
【０００４】
しかし、このような装置に対応するためにはサーバが必要であり、また冷蔵庫が送受信手段を備えている必要があるため、システムが大規模になる。またユーザーの要望として、それほど厳密になにがあるかを求められる必要性は少ない。
【発明の概要】
【発明が解決しようとする課題】
【０００５】
本発明はこのような事情に基づいてなされたもので、その目的とするところはユーザーに装置の購入負担を強いることなく、簡易な操作で購入商品の確認を行える携帯端末を提供することを目的とする。
【課題を解決するための手段】
【０００６】
本発明は、上記目的を達成するため、次のような手段を講じている。少なくとも日を計る計り手段と、一取引で購入した商品の商品名と対応する商品の期限とを取得する取得手段と、前記取得手段により取得した商品の商品名と商品の期限とを累積記憶する記憶手段と、前記記憶手段により累積記憶された前記商品に対応する商品の期限と前記計り手段の日を比較し商品の期限が経過すると検知された商品の情報を削除する削除手段と、前記記憶手段により記憶された商品の情報を操作者の宣言により削除する宣言削除手段と、前記記憶手段により記憶された商品名と商品の期限とを表示する表示手段と、を有する携帯端末である
【発明の効果】
【０００７】
かかる手段を講じた本発明によれば、ユーザーは簡易な操作にて在庫状況の確認を行うことができる。
【図面の簡単な説明】
【０００８】
【図１】本発明における一実施形態のＰＯＳ端末のブロック図
【図２】本発明における一実施形態の携帯電話のブロック図
【図３】本発明における一実施形態の携帯電話に記憶される消費期限ファイルの構成図
【図４】本発明における一実施形態の携帯電話に記憶される期限切れ商品記憶ファイルの構成図
【図５】本発明の実施例におけるＰＯＳ端末の精算処理のフローチャート
【図６】本発明の実施例における携帯電話の商品情報読取り処理のフローチャート
【図７】本発明の実施例における携帯電話の商品情報表示処理と削除処理のフローチャート
【発明を実施するための形態】
【０００９】
以下、本発明の一実施の形態を図を用いて説明する。
【実施例１】
【００１０】
なお、この実施の形態は、本発明に係る商品販売データ処理装置と携帯端末とをPOS（Ｐｏｉｎｔ  ｏｆ  Ｓａｌｅｓ）端末と携帯電話に適用したものである。
【００１１】
図１は、本発明の一実施形態であるＰＯＳ５０のブロック図である。このＰＯＳ５０には、演算装置・制御装置としてのＣＰＵ１が設けられている。このＣＰＵ１には、アドレスバス、データバスなどのバスライン２を介して、ＲＯＭ３（Ｒｅａｄ  Ｏｎｌｙ  Ｍｅｍｏｒｙ）、ＲＡＭ４（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）コントローラー５、キーボードコントローラー６、ネットワークインターフェース（I／F）、店用表示コントローラー８、プリンタコントローラー９、Ｉ／Ｏ（Ｉｎｐｕｔ／Ｏｕｔｐｕｔ）ポート１０が接続されている。そして、これらの各コントローラー５、６、８、９には、ＨＤＤ１１、キーボード１２、店用表示器１３、プリンタ１４が接続されている。また、前記Ｉ／Ｏポート１０には、モードスイッチ１５とドロワ１６が接続されている。
【００１２】
前記ＲＯＭ３には、前記ＣＰＵ１によって読み出されて当該ＣＰＵ１を様々な機能として働かせるプログラムや当該プログラムによるデータ処理の対象となる固定的なデータが格納されている。
【００１３】
前記ＲＡＭ４には、プログラムによるデータ処理の作業領域となるワークエリアなどの様々なメモリエリアが動的に形成される。
【００１４】
前記ＨＤＤコントローラー５は、前記ＣＰＵ１などからの指令に応じて前記ＨＤＤ１１の所定領域に記憶格納されているデータやプログラムなどを読出し、この読出したデータやプログラムなどを前記バスライン２に送出したり、前記バスライン２から受取ったデータやプログラムなどを前記ＨＤＤ１１の所定領域に記憶格納するため、前記ＨＤＤ１１に対するデータなどの読み書きの制御を行う。
【００１５】
前記キーボードコントローラー６は、前記キーボード１２からの入力信号を処理し、操作されたキーに対応するキーコードなどを前記バスライン２に送出するものである。このキーボードコントローラー６に接続されているキーボード１２は、前記ＰＯＳ５０のオペレータであるキャッシャによって操作されるもので、テンキー、ＰＬＵキー、小計キー、預／現計キーなどが設けられている。
【００１６】
前記ネットワークＩ／Fは外部機器と接続され、データの送受信を行う。
【００１７】
前記店用表示コントローラー８は、キャッシャに対して取引結果などを表示する店用表示器１３の画面表示を制御し、前記ＣＰＵ１などからの指令に応じて前記バスライン２から受取ったデータなどに基づく情報を店用表示器１３の画面に表示させる。
【００１８】
前記プリンタコントローラー９は、用紙に所定の情報を印字する印字部や所定情報が印字された用紙を切断するカッターなどを備えたプリンタ１４を制御する。このプリンタコントローラー９によって制御されるプリンタ１４は、ロール状に巻かれた状態で納められている長尺紙の端を印字の際に順次引き出して印字用紙として使用し、その引き出された長尺紙の端から順に印字部で印字を行うものである。この印字部で印字される情報は、前記ＣＰＵ１などからの指令に応じて前記バスライン２から受取ったデータなどに基づくものである。
【００１９】
前記Ｉ／Ｏポート１０は、接続されているモードスイッチ１５から入力された信号に基づいて所定のデータを前記バスラインに出力したり、前記ＣＰＵ１からの指令などに応じて接続されているドロワ１６に起動信号を出力したりする。前記ドロワ１６は、現金などを収納するもので、前記Ｉ／Ｏポート１０から出力される駆動信号に基づいてその収納部上の開口を外部に露呈させる。前記モードスイッチ１５は、「登録」、「点検」、「精算」、「設定」などの前記ＰＯＳ５０における各種業務モードの何れかのモードへと切り替えるための切替えスイッチで、鍵にて切替え操作される。鍵位置に対応するモード信号は、前記モードスイッチ１５から前記Ｉ／Ｏポート１０に入力され、前記ＣＰＵ１によって選択されたモードが認識される。
【００２０】
前記ＨＤＤ１１には、図示しないが、ＰＬＵファイル、取引ファイルなども記憶されている。前記ＰＬＵファイルには、ＰＬＵコード（商品識別子）に対応する商品名、単価、販売点数、販売金額などが記憶されている。
【００２１】
図２は本発明の一実施形態である携帯電話６０のブロック図である。この携帯電話６０には演算装置・制御装置としてのＣＰＵ６１が設けられている。このＣＰＵ６１には、アドレスバス、データバスなどのバスライン６２を介して、ＲＯＭ６３、ＲＡＭ６４、フラッシュメモリ６５、キーボードコントローラー６６、ネットワークインターフェース（I／F）６７、表示コントローラー６８、カメラ６９、時計７２、そして前記キーボードコントローラー６６と前記表示コントローラー６８には、キーボード７０と表示器７１が接続されている。
【００２２】
前記ＲＡＭ６４には前回チェック画面を起動した日時が記憶されている。
【００２３】
前記フラッシュメモリ６５には、消費期限ファイル８０と期限切れ商品記憶ファイル９０が記憶されている。この消費期限ファイル８０は図３に示すように、ＰＬＵコードに対応して、顧客が購入した商品名と消費期限と記憶する。また、期限切れ商品記憶ファイル９０は消費期限が切れた商品を記憶する。また、期限切れ商品記憶ファイル９０は図４に示すように、ＰＬＵコードに対応して、顧客が購入した商品名と消費期限と記憶する。
【００２４】
前記カメラ６９は前記ＰＯＳ端末５０で印刷されたコード情報を写真撮影にて入力されると、コード情報をデコードする。その後、前記ＣＰＵ６１はデコードされた情報を前記フラッシュメモリ６５の前記消費期限ファイル８０に記憶する。
【００２５】
前記キーボード７０にはカメラを起動するカメラキーや、エンターキー、カーソルを移動させる方向キー、置数キー、各種アプリケーションを起動させるアプリキーなどがついている。
【００２６】
しかして、以上のようなハードウェア構成、ファイル構成からなる前記ＰＯＳ端末５０において、前記ＣＰＵ１は、その動作モードとして「登録」業務が選択されているとき、予め設定されているプログラムに基づいて、図５に示す処理を実行する。
【００２７】
先ず、ＰＬＵキーが操作され、ＰＬＵコードが入力され（Ｓ（ステップ）１）、入力されたＰＬＵコードは前記ＲＡＭ４の所定のエリアに記憶される（Ｓ２）。
【００２８】
続いて、前記小計キーが押下されたかの判定を行う（Ｓ３）。小計キーが押下されないなら（Ｓ３のＮｏ）、ＰＬＵコードが再度入力される（Ｓ１）。一方、小計キーが押下されたなら（Ｓ３のＹＥＳ）、会計処理を行う（Ｓ４）。
【００２９】
ここで会計処理とは、入力されたＰＬＵコードに対応する金額の合計金額を算出し、顧客からの預かり金額を入力し、その差額を算出し、前記預／現計キーが押下され、前記取引ファイルに今回取引の情報が記憶されるまでの処理である。
【００３０】
前記会計処理が終了すると、購入商品のＰＬＵコードと商品名と消費期限とから、コード情報を作成する。本実施例ではＱＲコードが作成される（Ｓ５）。そして、前記Ｓ５にて作成したコード情報と前記ＲＡＭ４に記憶されている顧客が購入した商品とを印字し、処理を終了する。
【００３１】
続いて、図２に示したハードウェア構成、ファイル構成からなる前記携帯電話６０において、予め設定されているプログラムに基づいて、図６に示す読取り処理を実行する。
【００３２】
まず、前記キーボード７０のカメラキーの入力を検知すると、前記カメラ６９を起動する。
【００３３】
前記カメラ６９起動後に、このカメラ６９にて前記ＰＯＳ５０にて印刷されたコードを撮影する（Ｓ５２）。
【００３４】
前記Ｓ５２にてコードを撮影するとデコードを行い、コードに記憶されているＰＬＵコードと商品名と消費期限とを、前記フラッシュメモリ６５の消費期限ファイルに記憶する。
【００３５】
続いて図７に示す商品チェック処理を説明する。
【００３６】
まず、Ｓ１０１として、前記キーボード７０のアプリキーを操作して、チェック画面を起動させる。
【００３７】
前記Ｓ１０１にて前記ＲＡＭ６４に記憶されている前回起動日と、前記時計７２との日付を比較し、チェック画面が本日初めて起動したかを判別する（Ｓ１０２）。
【００３８】
本日初めての起動でないと判別すると（Ｓ１０２のＮｏ）、前記フラッシュメモリ６５の消費期限ファイル８０と前記期限切れ商品記憶ファイル９０とに記憶されている情報読み出し、前記表示器７１に表示する（Ｓ１０５）。
【００３９】
一方、本日初めての起動であると判別されたなら（Ｓ１０２のＹｅｓ）、前記フラッシュメモリ６５の前記期限切れ商品記憶ファイル９０をリセットする。その後、前記フラッシュメモリ６５の消費期限ファイル８０の消費期限と本日の日付とを比較し、消費期限の過ぎている商品を、前記期限切れ商品記憶ファイル９０にコピーする（Ｓ１０３）。その後、コピーした商品を削除し（Ｓ１０４）、前記フラッシュメモリ６５の消費期限ファイル８０と前記期限切れ商品記憶ファイル９０とに記憶されている情報読み出し、前記表示器７１に表示する（Ｓ１０５）。
【００４０】
商品の一覧が表示されると、手動で削除するか否かを選択する（Ｓ１０６）。より具体的には画面に、終了ボタンと削除ボタンを表示させ、前記キーボード７０により終了か削除をするかを選択する。
【００４１】
終了が選択された場合（Ｓ１０６のＮｏ）、処理を終了する。
【００４２】
一方、削除ボタンが選択された場合（Ｓ１０６のＹｅｓ）、前記フラッシュメモリ６５の
消費期限ファイル８０のデータを、チェックボックスと共に表示する。また、一連の操作の完了を宣言する完了ボタンを画面に表示させる。そして、操作者は前記キーボード７０のキー操作を行い、チェックボックスにチェックを入れる。チェックボックスのチェックが完了したなら、完了ボタンが押下される。完了ボタンが押下されると、選択された商品の削除を行い（Ｓ１０７）、処理を終了する。
【００４３】
以上により、買い上げた商品の表示・削除を行えるので、顧客は現在所持している商品を携帯端末の操作により確認できる。
【００４４】
なお、本発明は前記実施形態そのままに限定されるものではなく、実施段階ではその要旨を逸脱しない範囲で構成要素を変形して具体化できる。
【００４５】
例えば、本実施例はＱＲコードにて携帯端末に商品の消費期限が入力されるが、例えばＰＯＳ端末から無線などを使用して携帯電話に直接送信してもよい。
【００４６】
また、本実施例では記憶するのは消費期限であるとしたが、賞味期限を記憶してもよい。
【符号の説明】
【００４７】
１…ＣＰＵ、３…ＲＯＭ、４…ＲＡＭ、１１…ＨＤＤ
【先行技術文献】
【特許文献】
【００４８】
【特許文献１】特開平２００２−３１２６４０公報
【図１】
2011159187.tif 000003
【図２】
2011159187.tif 000004
【図３】
2011159187.tif 000005
【図４】
2011159187.tif 000006
【図５】
2011159187.tif 000007
【図６】
2011159187.tif 000008
【図７】
2011159187.tif 000009